(57)【要約】【課題】アプリケーションの実際の送受信パケット数に応じてサービス品質レベルを変化させる。【解決手段】ＱｏＳ対応端末１０は、パケット計数部１１で一定時間当たりのＱｏＳ対応パケット網１に送受信された各サービス品質レベルの総パケット数と自ＱｏＳ対応端末のパケット数をカウントし、サービス品質レベル設定部１３に通知し、サービス品質レベル情報部１２のサービス品質レベル情報を参照してサービス品質レベルを設定し、送信部１４から設定されたサービス品質レベルでパケットを送信する。これにより、同じサービス品質レベルのアプリケーションにおいて、サービス品質レベルの差別化を図り、必要性の高いユーザのデータが、必要性の低いユーザに邪魔されることなく、高品質で伝送効率の高いパケット通信システムが可能となり、上記課題が解決される。【選択図】  図１
2004215015.tif 000002
【特許請求の範囲】
【請求項１】
サービス品質レベルを有するＱｏＳ（Ｑｕａｌｉｔｙ  ｏｆ  Ｓｅｒｖｉｃｅ）対応パケット網に用いられるパケット通信装置であって、
前記ＱｏＳ対応パケット網を流れるパケット数をカウントするパケット計数部と、
前記パケット計数部でカウントしたパケット数に基づいてパケット属性毎のサービス品質レベルを算出するサービス品質レベル情報部と、
前記サービス品質レベル情報部が算出したパケット属性毎のサービス品質レベルに基づいて送信パケットのサービス品質レベルを決定するサービス品質レベル設定部と、
前記サービス品質レベル設定部で決定した前記サービス品質レベルを用いて前記送信パケットを前記ＱｏＳ対応パケット網に送信する送信部と、
前記ＱｏＳ対応パケット網からパケットを受信する受信部とを有することを特徴とするパケット通信装置。
【請求項２】
前記サービス品質レベル情報部は、前記パケット属性毎のサービス品質レベルを、一定時間当たりのパケット数が所定分増加すると高サービス品質レベルに算出し、前記一定時間当たりのパケット数が所定分減少すると低サービス品質レベルに算出することを特徴とする請求項１に記載のパケット通信装置。
【請求項３】
前記サービス品質レベル情報部は、前記パケット属性毎のサービス品質レベルを、一定時間当たりのパケット数が所定分増加すると低サービス品質レベルに算出し、前記一定時間当たりのパケット数が所定分減少すると高サービス品質レベルに算出することを特徴とする請求項１に記載のパケット通信装置。
【請求項４】
前記パケット計数部は、前記ＱｏＳ対応パケット網を流れる一定時間当たりの自パケット通信装置が送受信するパケット数と、全てのパケット通信装置が送受信するパケット数をカウントすることを特徴とする請求項１に記載のパケット通信装置。
【請求項５】
前記サービス品質レベル情報部は、前記サービス品質レベルの算出を、前記パケット計数部でカウントした一定時間当たりの自パケット通信装置が送受信するパケット数と全てのパケット通信装置が送受信するパケット数の比率に基づいて算出することを特徴とする、請求項４に記載のパケット通信装置。
【請求項６】
前記サービス品質レベルが決定される送信パケットは、電話データ、リアルタイム転送データ、電子メールデータ、ファイル転送データ、システム制御データ、およびシステム管理データのうち少なくとも１種を含むことを特徴とする請求項１から５に記載のパケット通信装置。
【請求項７】
前記サービス品質レベルは、遅延時間、遅延の揺らぎ（ジッタ）、転送エラーレート、転送速度、および転送データの秘話度のうち少なくとも１つを指標とすることを特徴とする請求項１から５に記載のパケット通信装置。
【請求項８】
サービス品質レベルを有するＱｏＳ（Ｑｕａｌｉｔｙ  ｏｆ  Ｓｅｒｖｉｃｅ）対応パケット網に用いられるパケット通信装置送信制御方法であって、
前記ＱｏＳ対応パケット網を流れるパケット数をカウントするパケット計数ステップと、
前記パケット計数ステップでカウントしたパケット数に基づいてパケット属性毎のサービス品質レベルを算出するサービス品質レベル情報ステップと、
前記サービス品質レベル情報ステップが算出したパケット属性毎のサービス品質レベルに基づいて送信パケットのサービス品質レベルを決定するサービス品質レベル設定ステップとを有することを特徴とするパケット通信装置送信制御方法。
【請求項９】
パケット通信装置に用いられ、請求項８記載の各ステップの一部または全てをコンピュータにより実行させるためのプログラム。
【請求項１０】
請求項９記載のプログラムを保持したコンピュータにより処理可能な情報記憶媒体。
【請求項１１】
サービス品質レベルを有するＱｏＳ（Ｑｕａｌｉｔｙ  ｏｆＳｅｒｖｉｃｅ）対応パケット網と、前記ＱｏＳ対応パケット網に接続された複数の請求項１記載のパケット通信装置とを有することを特徴とするパケット通信システム。
【発明の詳細な説明】
【０００１】
【発明の属する技術分野】
本発明は、パケット毎に指定されたＱｏＳによってパケット処理を行なうことのできるＱｏＳ対応パケット網に関して、一定時間のパケット数に従って、ＱｏＳを最適化して、サービス品質の差別化を図るパケット通信装置、パケット通信装置送信制御方法、プログラム、情報記憶媒体、およびパケット通信システムに関する。
【０００２】
【従来の技術】
以下に、従来のパケット毎に指定されたＱｏＳによってパケット処理を行なうことのできるＱｏＳ対応パケット網上でパケット通信を行なうパケット通信システムについて、図面を参照して具体的に説明する。
【０００３】
図４は従来例のパケット通信システムを示す構成図で、４０は２以上のサービス品質レベルを有するもので、最高サービス品質レベルでは、接続品質（情報の迅速性、確実性）、伝送品質（情報伝達の正確性）、安定品質（接続品質や伝送品質の維持度）、処理品質（処理結果に対する満足度）、安全品質（情報の安全性）、操作品質（システムの操作性）が他のサービス品質レベルと比較して良好である。例えば、接続品質ではパケットの到着遅延時間を最短化する。他方、最低サービス品質レベルでは接続品質、伝送品質、安定品質、処理品質、安全品質、操作品質が他のサービス品質レベルと比較して劣悪である。例えば、接続品質ではパケットの到着遅延時間が他のサービス品質レベルのパケット量に応じて変動する。中間のサービス品質レベルでは、接続品質、伝送品質、安定品質、処理品質、安全品質、操作品質が最高サービス品質レベルと最低サービス品質レベルの中間に定められているＱｏＳ対応パケット網、４１はＱｏＳ対応パケット網４０に流れるパケットの通信単価を、サービス品質レベルＱｏＳに応じて個別に設定した課金情報データベース、５０はＱｏＳ対応端末、５１は課金情報データベース４１の内容をＱｏＳ対応端末５０側で複写した課金情報データベース、５２はアプリケーションに応じてサービス品質レベルを設定するサービス品質レベル情報部、５３は今回送信を行うアプリケーションについてサービス品質レベル情報部５２を参照し、サービス品質レベルを設定するサービス品質レベル設定部、５４はサービス品質レベル設定部５３で設定したサービス品質レベルを用いてパケットをＱｏＳ対応パケット網４０に送信する送信部、５５はＱｏＳ対応パケット網４０からパケットを受信する受信部である。
【０００４】
図５は、従来例のサービス品質レベルと各ＱｏＳ対応パケット網の課金情報の説明図である。
【０００５】
６０はサービス品質レベル、６１は各ＱｏＳ対応パケット網の各サービス品質レベルの課金情報である。ここでは、サービス品質レベルは最も低いＱｏＳレベル１から最も高いＱｏＳレベル５まで有るものとする。課金情報では、パケット当りの送信単価はＱｏＳレベル１が１０円、ＱｏＳレベル２が２０円、ＱｏＳレベル３が３０円、ＱｏＳレベル４が４０円、ＱｏＳレベル５が５０円となっている。
【０００６】
図６は、従来例のアプリケーションと対応サービス品質レベル情報の説明図である。
【０００７】
７０はアプリケーション種別、７１は各アプリケーションの対応するサービス品質レベル情報である。アプリケーション種別７０にはネットニュース、電子メール、ファイル転送、電話、システム制御系の５種類がある。サービス品質レベル情報７１は、アプリケーション種別７０がネットニュースの場合はＱｏＳレベル１、電子メールの場合はＱｏＳレベル２、ファイル転送の場合はＱｏＳレベル３、電話の場合はＱｏＳレベル４、システム制御系の場合はＱｏＳレベル５とする。
【０００８】
以下にこのように構成された従来のＱｏＳ対応端末５０でのサービス品質レベル設定の動作について具体例を用いて説明する。
【０００９】
ＱｏＳ対応端末５０がＱｏＳ対応パケット網に電話用のパケットを送信する場合、サービス品質レベル設定部５３は、サービス品質レベル情報部５２の図６のサービス品質レベル情報を参照してサービス品質レベルのＱｏＳレベル４を設定し、送信部５４に通知する。
【００１０】
また、送信するパケットがネットニュース用の場合は、サービス品質レベル設定部５３は、サービス品質レベル情報部５２の図６のサービス品質レベル情報を参照してサービス品質レベルのＱｏＳレベル１を設定し、送信部５４に通知する。
【００１１】
送信部５４では、サービス品質レベル設定部５３の指示に従って、設定されたサービス品質レベルで電話用のパケットをＱｏＳ対応パケット網４０に送信する。
【００１２】
一方、ＱｏＳ対応端末５０が電話用のパケットをＱｏＳ対応パケット網４０から受信する場合、受信部５５で受信パケットの識別を行ない、自ＱｏＳ対応端末宛のパケットの場合、受信する。
【００１３】
このようにアプリケーション種別７０が電話の場合は、ＱｏＳ対応パケット網１０のＱｏＳレベル４を選定し、課金は４０円となる。同様に、ネットニュースの場合は、ＱｏＳ対応パケット網１０のＱｏＳレベル１を選定し、課金は１０円となる。電子メールの場合は、ＱｏＳ対応パケット網１０のＱｏＳレベル２を選定し、課金は２０円となる。ファイル転送の場合は、ＱｏＳ対応パケット網１０のＱｏＳレベル３を選定し、課金は３０円となる。システム制御系の場合はＱｏＳ対応パケット網１０のＱｏＳレベル５を選定し、課金は５０円となる。
【００１４】
以上のような、ＱｏＳ対応パケット網に対応したパケット通信端末とサービス品質レベルに対応した課金方式を使用した場合、アプリケーションに応じてサービス品質レベルを定めてサービス品質レベルの最適化を行い、ファイル転送アプリユーザは低いサービス品質レベルでファイルデータパケットを送信する。電話アプリユーザは高いサービス品質レベルで音声データパケットを送信するため、ファイルデータパケットに邪魔されずにスムーズにパケットを転送できる。
【００１５】
即ち、ファイル転送アプリユーザは料金を安くでき、電話アプリユーザの各パケットの平均遅延時間は激減する。このように、ファイル転送アプリユーザも電話アプリユーザもどちらも利益を得ることができる。
【００１６】
例えば、特許文献１には、高いサービス品質レベルを要求するユーザには通信料金単価を高く設定することで、各ユーザにとって最適なサービス品質レベルを安価な通信料金単価で実現できるパケット通信システムが開示されている。
【００１７】
【特許文献１】
特開２００１−１２７７５６号公報
【００１８】
【発明が解決しようとする課題】
しかし、上記のような従来のパケット通信システムでは、アプリケーションに応じて、サービス品質レベルの設定を行なっているため、使用頻度が高く、常時、高サービス品質レベルを必要とするユーザと、使用頻度が低く、稀にしか高サービス品質レベルを必要としないユーザも、同一の処理を行なうため、全てが同じアプリケーションのサービスの場合などでは、必要性の高いユーザのデータが、必要性の低いユーザに邪魔されて、サービス品質レベルを満足できなくなってしまうという課題があった。
【００１９】
本発明は、上記問題点に鑑み、パケット毎に指定されたサービス品質レベルによってパケット処理を行なうことのできるＱｏＳ対応パケット網に対して、各サービス品質レベルでユーザ毎のパケット使用量をカウントし、その使用量に従って、サービス品質レベルを最適化し、サービス品質レベルの差別化を図り、高品質のパケット通信装置、パケット通信装置送信制御方法、プログラム、情報記憶媒体、およびパケット通信システムを提供することを目的とする。
【００２０】
【課題を解決するための手段】
第１の発明は、サービス品質レベルを有するＱｏＳ（Ｑｕａｌｉｔｙ  ｏｆ  Ｓｅｒｖｉｃｅ）対応パケット網に用いられるパケット通信装置であって、前記ＱｏＳ対応パケット網を流れるパケット数をカウントするパケット計数部と、前記パケット計数部でカウントしたパケット数に基づいてパケット属性毎のサービス品質レベルを算出するサービス品質レベル情報部と、前記サービス品質レベル情報部が算出したパケット属性毎のサービス品質レベルに基づいて送信パケットのサービス品質レベルを決定するサービス品質レベル設定部と、前記サービス品質レベル設定部で決定した前記サービス品質レベルを用いて前記送信パケットを前記ＱｏＳ対応パケット網に送信する送信部と、前記ＱｏＳ対応パケット網からパケットを受信する受信部とを有することを特徴とするパケット通信装置である。
【００２１】
第２の発明は、前記サービス品質レベル情報部は、前記パケット属性毎のサービス品質レベルを、一定時間当たりのパケット数が所定分増加すると高サービス品質レベルに算出し、前記一定時間当たりのパケット数が所定分減少すると低サービス品質レベルに算出することを特徴とする第１の発明に記載のパケット通信装置である。
【００２２】
第３の発明は、前記サービス品質レベル情報部は、前記パケット属性毎のサービス品質レベルを、一定時間当たりのパケット数が所定分増加すると低サービス品質レベルに算出し、前記一定時間当たりのパケット数が所定分減少すると高サービス品質レベルに算出することを特徴とする第１の発明に記載のパケット通信装置である。
【００２３】
第４の発明は、前記パケット計数部は、前記ＱｏＳ対応パケット網を流れる一定時間当たりの自パケット通信装置が送受信するパケット数と、全てのパケット通信装置が送受信するパケット数をカウントすることを特徴とする第１の発明に記載のパケット通信装置である。
【００２４】
第５の発明は、前記サービス品質レベル情報部は、前記サービス品質レベルの算出を、前記パケット計数部でカウントした一定時間当たりの自パケット通信装置が送受信するパケット数と全てのパケット通信装置が送受信するパケット数の比率に基づいて算出することを特徴とする、第４の発明に記載のパケット通信装置である。
【００２５】
第６の発明は、前記サービス品質レベルが決定される送信パケットは、電話データ、リアルタイム転送データ、電子メールデータ、ファイル転送データ、システム制御データ、およびシステム管理データのうち少なくとも１種を含むことを特徴とする第１の発明から第５の発明に記載のパケット通信装置である。
【００２６】
第７の発明は、前記サービス品質レベルは、遅延時間、遅延の揺らぎ（ジッタ）、転送エラーレート、転送速度、および転送データの秘話度のうち少なくとも１つを指標とすることを特徴とする第１の発明から第５の発明に記載のパケット通信装置である。
【００２７】
第８の発明は、サービス品質レベルを有するＱｏＳ（Ｑｕａｌｉｔｙ  ｏｆ  Ｓｅｒｖｉｃｅ）対応パケット網に用いられるパケット通信装置送信制御方法であって、前記ＱｏＳ対応パケット網を流れるパケット数をカウントするパケット計数ステップと、前記パケット計数ステップでカウントしたパケット数に基づいてパケット属性毎のサービス品質レベルを算出するサービス品質レベル情報ステップと、前記サービス品質レベル情報ステップが算出したパケット属性毎のサービス品質レベルに基づいて送信パケットのサービス品質レベルを決定するサービス品質レベル設定ステップとを有することを特徴とするパケット通信装置送信制御方法である。
【００２８】
第９の発明は、パケット通信装置に用いられ、第８の発明に記載の各ステップの一部または全てをコンピュータにより実行させるためのプログラムである。
【００２９】
第１０の発明は、第９の発明に記載のプログラムを保持したコンピュータにより処理可能な情報記憶媒体である。
【００３０】
第１１の発明は、サービス品質レベルを有するＱｏＳ（Ｑｕａｌｉｔｙ  ｏｆＳｅｒｖｉｃｅ）対応パケット網と、前記ＱｏＳ対応パケット網に接続された複数の第１の発明記載のパケット通信装置とを有することを特徴とするパケット通信システムである。
【００３１】
【発明の実施の形態】
以下、図面に基づいて、本発明の実施の形態を説明する。
【００３２】
図１は本発明の実施の形態のパケット通信システムを示す構成図で、１は少なくとも２以上のサービス品質レベルを有するもので、最高サービス品質レベルでは、接続品質、伝送品質、安定品質、処理品質、安全品質、操作品質を他のサービス品質レベルに比較して良好にし、例えば接続品質ではパケットの到着遅延時間を最短化し、他方、最低サービス品質レベルでは接続品質、伝送品質、安定品質、処理品質、安全品質、操作品質を他のサービス品質要求レベルに比較して劣化させ、例えば接続品質ではパケットの到着遅延時間が他のサービス品質レベルのパケット量に応じて変動し、中間のサービス品質レベルでは、接続品質、伝送品質、安定品質、処理品質、安全品質、操作品質を最高サービス品質レベルと最低サービス品質レベルの中間に定められているＱｏＳ対応パケット網、１０はＱｏＳ対応端末、１１は一定時間当たりのＱｏＳ対応パケット網１を流れる自ＱｏＳ対応端末が送受信するパケット数と、全てのＱｏＳ対応端末が送受信するパケット数をカウントするパケット計数部、１２はパケット計数部１１でカウントした一定時間当たりの全てのＱｏＳ対応端末が送受信するパケット数に従って、サービス品質レベルを設定するパケット数を決定し、一定時間当たりのパケット数が増加するに従って、より高サービス品質レベルに設定し、一定時間当たりのパケット数が減少するに従って、より低サービス品質レベルに設定するサービス品質レベル情報部、１３は今回送信するパケットについてサービス品質レベル情報部１２を参照し、サービス品質レベルを設定するサービス品質レベル設定部、１４はサービス品質レベル設定部１３で設定したサービス品質レベルを用いてパケットをＱｏＳ対応パケット網１に送信する送信部、１５はＱｏＳ対応パケット網１からパケットを受信する受信部である。
【００３３】
図２は本発明の実施の形態のパケット通信システムで使用するアプリケーション対応サービス品質レベル情報の説明図である。２０はアプリケーション種別、２１は各アプリケーションの対応するサービス品質レベル情報である。なお、サービス品質レベル情報の対応と閾値はパケット通信サービスを提供する企業の運用、経営方針やユーザ側の要望、使用環境などに強く影響を受けるため、一概に決めることができないため、ここでは、一例を示す。
【００３４】
アプリケーション種別２０はネットニュース、電子メール、ファイル転送、電話、システム制御系の５種類がある。対応するサービス品質レベル情報２１は、アプリケーション種別２０がネットニュースの場合はＱｏＳレベル１、電子メールの場合はＱｏＳレベル２、ファイル転送の場合はＱｏＳレベル３、電話の場合はＱｏＳレベル４、システム制御系の場合はＱｏＳレベル５とする。
【００３５】
図３は本発明の実施の形態のパケット通信システムで使用するサービス品質レベルの閾値の説明図である。３０が同一サービス品質レベル内でのサブサービス品質レベル、３１が一定時間当たりの総パケットに対する自端末パケット数で示されるサービス品質レベル閾値である。ここでは、サービス品質レベルは最も低いＱｏＳレベル１−１から最も高いＱｏＳレベル５−５まで有るものとする。ＱｏＳレベルｎ−５とｎ−４サービス品質レベル閾値を、各サービス品質レベルのパケット総数に対してパケット総数／１００とし、ＱｏＳレベルｎ−４とｎ−３では、パケット総数／２００、ＱｏＳレベルｎ−３とｎ−２ではパケット総数／６００、ＱｏＳレベルｎ−２とｎ−１ではパケット総数／２４００となっている。
【００３６】
以下にこのように構成されたＱｏＳ対応端末１０でのサービス品質レベル決定の動作について具体例を用いて説明する。
【００３７】
ＱｏＳ対応端末１０がＱｏＳ対応パケット網１に電話用のパケットを送信する場合、サービス品質レベル設定部１３は、パケット計数部１１から一定時間当たりのＱｏＳ対応パケット網１に送受信された自ＱｏＳ対応端末の電話用のパケット数を獲得し、サービス品質レベル情報部１２の図３のサービス品質レベル情報を参照してサービス品質レベルを設定し、送信部１４に通知される。例えば、ＱｏＳ４のパケット総数が１００００で、自ＱｏＳ対応端末のＱｏＳ４のパケット数が１００以上の場合は、ＱｏＳレベル４−５が設定され、自ＱｏＳ対応端末のＱｏＳレベル４のパケット数が４以下の場合は、ＱｏＳレベル４−１が設定され、通知される。
【００３８】
送信部１４では、サービス品質レベル設定部１３の指示に従って、設定されたサービス品質レベルで電話用のパケットを送信する。パケット計数部１１では、ＱｏＳ対応パケット網のＱｏＳレベル４のパケット総数と自ＱｏＳ対応端末のＱｏＳレベル４のパケット数のカウントを行なう。
【００３９】
一方、ＱｏＳ対応端末１０が電話用のパケットをＱｏＳ対応パケット網から受信する場合、受信部１５で自ＱｏＳ対応端末宛のパケット受信を行ない、パケットの種別の判断を行なう。パケット計数部１１では、ＱｏＳ対応パケット網のＱｏＳレベル４のパケット総数と自ＱｏＳ対応端末のＱｏＳレベル４のパケット数のカウントを行なう。
【００４０】
このようにして、サービス品質レベルを設定し、サービス品質レベルを最適化して、パケットの送受信を行なっている。
【００４１】
なお、上記実施の形態のサービス品質レベル情報部１２において、サービス品質レベルの設定を自ＱｏＳ対応端末のパケット数が閾値を超えた場合に高サービス品質レベルになる場合を示したが、本発明はこれに限定されるものではなく、自ＱｏＳ対応端末のパケット数が閾値を超えた場合に低サービス品質レベルになることにしても良い。つまり、パケット数が多いほど品質を向上するためにサービス品質レベルを向上するか、あるいは、パケット数が多いほど回線を占有するのでそれを解除するために品質レベルを下げるかは、各々のサービス業者の方針できまるものであり、本発明はいずれにも対応可能である。
【００４２】
なお、上記実施の形態にサービス品質レベル情報部１２においてはサービス品質レベルの設定の閾値は、パケット計数部１１でカウントした一定時間当たりの全てのＱｏＳ対応端末が送受信するパケット数に従って、設定する場合を示したが、本発明はこれに限定されるものではなく、予め設定値を決定しておいても良い。
【００４３】
なお、本発明では、パケット計数部が全てのＱｏＳ対応端末が送受信するパケット数と自ＱｏＳ対応端末の送受信するパケット数をカウントしてサービス品質レベル情報部がサービス品質レベルを算出するとしたが、これは必ず全てをカウントする必要はない。例えば、全てのＱｏＳ対応端末が送受信するパケット数については、勿論自ＱｏＳ対応端末が観測できる範囲で実用に値するし、送信パケットか受信パケットのどちらかでも構わないし、一定期間ごとにサンプリングして測定しても良い。また、自ＱｏＳ対応端末の送受信するパケット数のカウントも、送信パケットか受信パケットのどちらかでも構わないし、一定期間ごとにサンプリングして測定しても良い。また、サービス品質レベルを算出するアプリケーションのパケットのみカウントすれば良いのはいうまでもない。
【００４４】
なお、上記各実施の形態では、パケット通信装置としてＱｏＳ対応端末の場合を記載したが、必ずしもこれにとらわれる必要は無い。例えば、他ＱｏＳ対応端末のパケットを中継するＱｏＳ対応中継局にも容易に適応が可能である。例えば、図１において、受信部１５で受信した中継パケットについてパケット計数部で送信元ＱｏＳ対応端末のアプリケーション種別にパケット数を計数する。この計数結果を元に、サービス品質レベル情報部１２とサービス品質レベル１３で送信元ＱｏＳ対応端末のアプリケーション種別毎にサービス品質レベルを設定して送信部１４より送信する。これにより、全てのＱｏＳ対応端末に本発明を適用せずとも本発明の通信システムを実現する事が可能になる。
【００４５】
以上のように、本実施の形態によれば、各サービス品質レベルでユーザ毎のパケット使用量に従って、サービス品質レベルを決定することにより、同一のアプリケーションのサービスでのサービス品質レベルを差別化したパケット通信が行なえる。
【００４６】
【発明の効果】
本発明によれば、パケットの使用量により、サービス品質レベルを決定することにより、同じサービス品質レベルのアプリケーションにおいて、サービス品質レベルの差別化を図ることにより、必要性の高いユーザのデータが、必要性の低いユーザに邪魔されることなく、高品質で伝送効率の高いパケット通信システムが可能となる。
【図面の簡単な説明】
【図１】本発明の実施の形態のパケット通信システムを示す構成図
【図２】本発明の実施の形態のパケット通信システムで使用するアプリケーション対応サービス品質レベル情報の説明図
【図３】本発明の実施の形態のパケット通信システムで使用するサービス品質レベル情報の閾値の説明図
【図４】従来例のパケット通信システムを示す構成図
【図５】従来例のサービス品質レベルと各ＱｏＳ対応パケット網の課金情報の説明図
【図６】従来例のアプリケーションと対応サービス品質レベル情報の説明図
【符号の説明】
１、４０  ＱｏＳ対応パケット網
１０、５０  ＱｏＳ対応端末
１１  パケット計数部
１２、５２  サービス品質レベル情報部
１３、５３  サービス品質レベル設定部
１４、５４  送信部
１５、５５  受信部
２０、７０  アプリケーション種別
２１、７１  サービス品質レベル情報
３０、６０  サービス品質レベル
３１  サービス品質レベル閾値
４１、５１  課金情報データベース
６１  課金情報
【図１】
2004215015.tif 000003
【図２】
2004215015.tif 000004
【図３】
2004215015.tif 000005
【図４】
2004215015.tif 000006
【図５】
2004215015.tif 000007
【図６】
2004215015.tif 000008